【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
クライアント端末と、印刷データをプリンタへ提供する印刷サーバと通信可能なプリンタであって、
前記クライアント端末から、前記プリンタを前記印刷サーバへ登録するための登録リクエストを受信する受信手段と、
前記印刷サーバから前記クライアント端末へ送信されるユーザ認証画面を介して入力されたユーザ情報と関連付けて管理される前記プリンタの構成情報を、前記クライアント端末へ送信する送信手段と、を有し、
前記ユーザ情報と前記プリンタの構成情報とが関連付けて前記印刷サーバで管理されたことで、前記ユーザ情報の認証が成功した後、前記印刷データを前記プリンタへ印刷させる指定と、前記プリンタの構成情報が反映された印刷設定画面を介した印刷設定の指定とが可能になる
ことを特徴とするプリンタ。
【請求項２】
前記印刷データを前記プリンタへ印刷させる指定を受けた前記印刷サーバから、前記印刷データを受信し、受信された前記印刷データを印刷する印刷手段を更に有する
ことを特徴とする請求項１に記載のプリンタ。
【請求項３】
前記送信手段は、前記プリンタの構成情報を送信するとともに、前記クライアント端末を前記印刷サーバへアクセスさせ、前記ユーザ認証画面を前記クライアント端末へ表示させるためのＷｅｂ画面を前記クライアント端末へ送信する
ことを特徴とする請求項１に記載のプリンタ。
【請求項４】
プリンタと、印刷データをプリンタへ提供する印刷サーバと通信可能なクライアント端末であって、
前記プリンタを前記印刷サーバへ登録するための登録リクエストを前記プリンタへ送信する送信手段と、
前記プリンタから、前記登録リクエストに対する応答として、前記プリンタの構成情報を受信する受信手段と、
前記印刷サーバが提供するプリンタ登録画面のＵＲＬを基に前記印刷サーバへアクセスしたことに応じて、前記印刷サーバから送信されるユーザ認証画面を受信し、受信された前記ユーザ認証画面を表示する表示手段と、を有し、
表示された前記ユーザ認証画面を介してユーザ情報が入力され、前記ユーザ情報の認証が成功したことに応じて、前記ユーザ情報と、前記クライアント端末を介して受信された前記プリンタの構成情報とが関連付けて前記印刷サーバに管理される
ことを特徴とするクライアント端末。
【請求項５】
前記ユーザ情報と、前記クライアント端末を介して受信された前記プリンタの構成情報とが関連付けて管理された後に、
前記表示手段は、前記ユーザ認証画面を再度表示し、
前記受信手段は、再度表示された前記ユーザ認証画面を介してユーザ情報が入力され、前記ユーザ情報の認証が成功した後に前記印刷サーバから送信されるプリンタリスト画面を受信し、
前記プリンタリスト画面は、前記ユーザ情報と関連付けて管理されている前記プリンタの構成情報に対応するプリンタを選択することが可能な画面である
ことを特徴とする請求項４に記載のクライアント端末。
【請求項６】
前記受信手段は、前記プリンタリスト画面を介してプリンタが選択されたことに応じて前記印刷サーバから送信される印刷設定画面を受信し、
前記印刷設定画面は、選択された前記プリンタに対応する前記プリンタの構成情報が反映された印刷設定画面である
ことを特徴とする請求項５に記載のクライアント端末。
【請求項７】
クライアント端末と、印刷データをプリンタへ提供する印刷サーバと通信可能なプリンタの制御方法であって、
受信手段が、前記クライアント端末から、前記プリンタを前記印刷サーバへ登録するための登録リクエストを受信する受信工程と、
送信手段が、前記印刷サーバから前記クライアント端末へ送信されるユーザ認証画面を介して入力されたユーザ情報と関連付けて管理される前記プリンタの構成情報を、前記クライアント端末へ送信する送信工程と、を有し、
前記ユーザ情報と前記プリンタの構成情報とが関連付けて前記印刷サーバで管理されたことで、前記ユーザ情報の認証が成功した後、前記印刷データを前記プリンタへ印刷させる指定と、前記プリンタの構成情報が反映された印刷設定画面を介した印刷設定の指定とが可能になる
ことを特徴とするプリンタの制御方法。
【請求項８】
プリンタと、印刷データをプリンタへ提供する印刷サーバと通信可能なクライアント端末の制御方法であって、
送信手段が、前記プリンタを前記印刷サーバへ登録するための登録リクエストを前記プリンタへ送信する送信工程と、
受信手段が、前記プリンタから、前記登録リクエストに対する応答として、前記プリンタの構成情報を受信する受信工程と、
表示手段が、前記印刷サーバが提供するプリンタ登録画面のＵＲＬを基に前記印刷サーバへアクセスしたことに応じて、前記印刷サーバから送信されるユーザ認証画面を受信し、受信された前記ユーザ認証画面を表示する表示工程と、を有し、
表示された前記ユーザ認証画面を介してユーザ情報が入力され、前記ユーザ情報の認証が成功したことに応じて、前記ユーザ情報と、前記クライアント端末を介して受信された前記プリンタの構成情報とが関連付けて前記印刷サーバに管理される
ことを特徴とするクライアント端末の制御方法。
【請求項９】
クライアント端末と、印刷データをプリンタへ提供する印刷サーバと通信可能なプリンタの制御をコンピュータに機能させるためのプログラムであって、
前記コンピュータを、
前記クライアント端末から、前記プリンタを前記印刷サーバへ登録するための登録リクエストを受信する受信手段と、
前記印刷サーバから前記クライアント端末へ送信されるユーザ認証画面を介して入力されたユーザ情報と関連付けて管理される前記プリンタの構成情報を、前記クライアント端末へ送信する送信手段として機能させ、
前記ユーザ情報と前記プリンタの構成情報とが関連付けて前記印刷サーバで管理されたことで、前記ユーザ情報の認証が成功した後、前記印刷データを前記プリンタへ印刷させる指定と、前記プリンタの構成情報が反映された印刷設定画面を介した印刷設定の指定とが可能になる
ことを特徴とするプログラム。
【請求項１０】
プリンタと、印刷データをプリンタへ提供する印刷サーバと通信可能なクライアント端末の制御をコンピュータに機能させるためのプログラムであって、
前記コンピュータを、
前記プリンタを前記印刷サーバへ登録するための登録リクエストを前記プリンタへ送信する送信手段と、
前記プリンタから、前記登録リクエストに対する応答として、前記プリンタの構成情報を受信する受信手段と、
前記印刷サーバが提供するプリンタ登録画面のＵＲＬを基に前記印刷サーバへアクセスしたことに応じて、前記印刷サーバから送信されるユーザ認証画面を受信し、受信された前記ユーザ認証画面を表示する表示手段として機能させ、
表示された前記ユーザ認証画面を介してユーザ情報が入力され、前記ユーザ情報の認証が成功したことに応じて、前記ユーザ情報と、前記クライアント端末を介して受信された前記プリンタの構成情報とが関連付けて前記印刷サーバに管理される
ことを特徴とするプログラム。
【手続補正２】
【補正対象書類名】明細書
【補正対象項目名】発明の名称
【補正方法】変更
【補正の内容】
【発明の名称】プリンタ、クライアント端末及びそれらの制御方法、プログラム
【手続補正３】
【補正対象書類名】明細書
【補正対象項目名】０００１
【補正方法】変更
【補正の内容】
【０００１】
本発明は、クライアント端末、印刷サーバ及びプリンタがネットワークに接続されて構成される印刷システムにおける、プリンタ、クライアント端末及びそれらの制御方法、プログラムに関するものである。
【手続補正４】
【補正対象書類名】明細書
【補正対象項目名】００１３
【補正方法】変更
【補正の内容】
【００１３】
本発明は上記の課題を解決するためになされたものである。その目的は、印刷機能を提供するサービスを利用する環境において、そのサービス提供元にプリンタの構成情報を容易にかつ安全に登録することができる印刷システムにおける、プリンタ、クライアント端末及びそれらの制御方法、プログラムを提供することにある。
【手続補正５】
【補正対象書類名】明細書
【補正対象項目名】００１４
【補正方法】変更
【補正の内容】
【００１４】
上記の目的を達成するための本発明によるプリンタは以下の構成を備える。即ち、
クライアント端末と、印刷データをプリンタへ提供する印刷サーバと通信可能なプリンタであって、
前記クライアント端末から、前記プリンタを前記印刷サーバへ登録するための登録リクエストを受信する受信手段と、
前記印刷サーバから前記クライアント端末へ送信されるユーザ認証画面を介して入力されたユーザ情報と関連付けて管理される前記プリンタの構成情報を、前記クライアント端末へ送信する送信手段と、を有し、
前記ユーザ情報と前記プリンタの構成情報とが関連付けて前記印刷サーバで管理されたことで、前記ユーザ情報の認証が成功した後、前記印刷データを前記プリンタへ印刷させる指定と、前記プリンタの構成情報が反映された印刷設定画面を介した印刷設定の指定とが可能になる。
【手続補正６】
【補正対象書類名】明細書
【補正対象項目名】００１５
【補正方法】変更
【補正の内容】
【００１５】
上記の目的を達成するための本発明によるクライアント端末は以下の構成を備える。即ち、
プリンタと、印刷データをプリンタへ提供する印刷サーバと通信可能なクライアント端末であって、
前記プリンタを前記印刷サーバへ登録するための登録リクエストを前記プリンタへ送信する送信手段と、
前記プリンタから、前記登録リクエストに対する応答として、前記プリンタの構成情報を受信する受信手段と、
前記印刷サーバが提供するプリンタ登録画面のＵＲＬを基に前記印刷サーバへアクセスしたことに応じて、前記印刷サーバから送信されるユーザ認証画面を受信し、受信された前記ユーザ認証画面を表示する表示手段と、を有し、
表示された前記ユーザ認証画面を介してユーザ情報が入力され、前記ユーザ情報の認証が成功したことに応じて、前記ユーザ情報と、前記クライアント端末を介して受信された前記プリンタの構成情報とが関連付けて前記印刷サーバに管理される。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
本発明によれば、印刷機能を提供するサービスを利用する環境において、そのサービス提供元にプリンタの構成情報を容易にかつ安全に登録することができる印刷システムにおける、プリンタ、クライアント端末及びそれらの制御方法、プログラムを提供できる。